(57)【要約】      （修正有）【課題】ペダルの踏み込み操作による蓋の開閉動作を繰り返しても、蓋が不測に取り外れることがなく、意図的に蓋を着脱する際には容易に着脱できる廃棄物回収用装置を提供する。【解決手段】蓋１４を備えた容器本体１３を載置する基台１５、及び、蓋を開閉操作する蓋開閉手段１６を備え、蓋開閉手段１６を、ペダル３７の踏み込みにより揺動するよう基台１５の下部に枢着された揺動杆３３と、揺動杆３３の揺動に連動して昇降する昇降杆と、蓋１４の後方側で基台１５の上部に枢着した蓋開閉枢着部を有するとともに、蓋１４を保持する蓋保持部４２を有し、蓋開閉枢着部を支点として昇降杆の昇降動作に連動して揺動する蓋開閉部材３５とで構成し、蓋１４に対する力の付与により取り外し可能に蓋１４を保持する蓋保持部４２に、蓋１４の外周縁より平面視外側へ突出する突片５８を設けた。【選択図】図１
0003163411.tif 000002
【実用新案登録請求の範囲】
【請求項１】
容器本体と該容器本体の上方に形成した開口部を閉塞する蓋とで構成する容器、上記容器本体を載置する基台、及び、上記蓋を開閉操作する蓋開閉手段を備え、
上記蓋開閉手段を、
前方側にペダルが取り付けられ、該ペダルの踏み込みにより揺動するよう上記基台の下部に枢着された揺動杆と、
上記容器本体の後方側に起立姿勢で配置され、上記揺動杆の揺動に連動して昇降動作する昇降杆と、
上記蓋の後方側で上記基台の上部に枢着した蓋開閉枢着部を有するとともに、上記蓋を保持する蓋保持部を有し、上記蓋開閉枢着部を支点として上記昇降杆の昇降動作に連動して揺動する蓋開閉部材と
で構成した廃棄物回収用装置であって、
上記蓋保持部は、該蓋保持部と上記蓋とが互いに離間する方向へ上記蓋に対する力の付与により取り外し可能に上記蓋を保持し、
上記蓋保持部に、指の引掛けを許容する突出量で、上記蓋の外周縁より平面視外側へ突出する突片を設けた
廃棄物回収用装置。
【請求項２】
上記蓋開閉枢着部、又はその近傍に、上記蓋の枢動速度を緩和するダンパーを設けた
請求項１に記載の廃棄物回収用装置。
【請求項３】
上記揺動杆の前方側部分を、側方へスライド可能に構成し、
上記蓋が開いた状態に上記揺動杆をロックするロック手段を、上記揺動杆の側方に備え、
上記ロック手段の下端に、上記ペダルの踏み込み操作により下降させ、上記ロック手段の側へスライドさせた上記揺動杆の係止を許容する係止端を形成し、
上記係止端を、上下方向に揺動する上記揺動杆の軌道上に側方から張り出して形成した
請求項１、又は、２に記載の廃棄物回収用装置。
【請求項４】
上記蓋保持部を、第１蓋保持体と、第２蓋保持体と、上記第１蓋保持体、及び上記第２蓋保持体を一体に結ぶフレームとで構成し、
上記突片を上記フレームに形成した
請求項１から請求項３のうちいずれか１項に記載の廃棄物回収用装置。
【請求項５】
上記蓋を平面視矩形に形成し、
上記第１蓋保持体を、上記蓋の後端辺部分に配置するとともに、上記第２蓋保持体を、上記蓋の左右方向の端辺部分である左右端辺部分に配置し、
上記フレームを、上記後端辺部分沿いに配置した第１フレーム部と、上記左右端辺部分沿いに配置した第２フレーム部と、上記第１フレーム部及び上記第２フレーム部との間に有する隅角部とで構成し、
上記突片を、上記第１フレーム部に形成した
請求項４に記載の廃棄物回収用装置。
【請求項６】
上記蓋を平面視矩形に形成し、
上記第１蓋保持体を、上記蓋の後端辺部分に配置するとともに、上記第２蓋保持体を、上記蓋の左右方向の端部である左右端辺部分に配置し、
上記フレームを、上記後端辺部分沿いに配置した第１フレーム部と、上記左右端辺部分沿いに配置した第２フレーム部と、上記第１フレーム部及び上記第２フレーム部との間に有する隅角部とで構成し、
上記突片を、上記隅角部、又はその近傍に形成した
請求項４に記載の廃棄物回収用装置。
【請求項７】
上記第１蓋保持体を、上記蓋の上面に形成した被挟持部を挟持する第１蓋挟持体で形成するとともに、上記第２蓋保持体を、上記蓋の上面に形成した被挟持部を挟持する第２蓋挟持体で形成し、
上記被挟持部を、上記蓋の上面から上方へ突き出した突起部で形成した
請求項４から請求項６のうちいずれか１項に記載の廃棄物回収用装置。
【考案の詳細な説明】
【技術分野】
【０００１】
この考案は、例えば、ペダルの踏み込み操作により蓋を開いた状態とし、容器内に廃棄物を廃棄して回収することのできる廃棄物回収用装置に関する。
【背景技術】
【０００２】
例えば、ペダルの踏み込み操作により蓋を開けるタイプの構成廃棄物回収用装置は、手で蓋を開けるタイプのものと比較して蓋開閉時の力加減が困難であり、また、蓋開閉動作は、廃棄物を容器に廃棄する度に頻繁に行われるため、蓋に負荷が加わることになる。
【０００３】
よって、蓋が、該蓋の取付け部分から不測に外れてしまうという問題があった。この場合、蓋が破損したり、外れた蓋に接触して怪我をするおそれもある。
【０００４】
このような問題に対して、下記特許文献１に開示するような医療廃棄物用処理容器が提案されている。  
下記特許文献１に開示の医療廃棄物用処理容器は、ペダルの踏み込み操作により蓋の開閉動作が可能な蓋開閉機構が設けられ、該蓋開閉機構には第一部材（５）、及び、第二部材（６）を備えている。
【０００５】
第一部材（５）は、蓋体カバー（４）の基端部にビス留めされ、第二部材（６）に対して回動可能に、蓋体カバー（４）の回動支点として一体に連結されている。第一部材（５）は、上下方向に配置された縦杆（３６）に枢着されている。縦杆（３６）は、ペダル（３２）の踏み込みにより上昇する杆である。
【０００６】
第二部材（６）は、縦杆（３６）と平行に上下方向に配置された上記固定杆（３７）に固定されている。
【０００７】
上記医療廃棄物用処理容器は、ペダル（３２）の踏み込みにより上昇する縦杆（３６）によって、第二部材（６）に対して第一部材（５）が押し上げられ、蓋体カバー（４）を保持した状態で反転させて開けることができる。
【０００８】
上述の特許文献１に開示の蓋体カバー（４）は、第一部材（５）に対して複数箇所がビス留めされた構成であるため、ペダル（３２）の踏み込み操作による蓋体カバー（４）の開口動作を繰り返し行っても、蓋体カバー（４）が第一部材（５）から不測に外れてしまうことがない。
【０００９】
しかし、特許文献１に開示の医療廃棄物用処理容器をはじめ廃棄物回収用装置は、一般に、衛生面や防臭面の観点から、蓋を洗浄したり、新しいものに交換したりする機会が多く、その度に、複数のビスを着脱して蓋体カバー（４）を第一部材（５）に対して着脱することは手間がかかる。
【００１０】
従って、従来の医療廃棄物用処理容器は、蓋の洗浄や交換に手間を要し、衛生的でないという問題があった。
【先行技術文献】
【特許文献】
【００１１】
特開２００６−１５１６５９号公報
【考案の概要】
【考案が解決しようとする課題】
【００１２】
そこでこの考案は、ペダルの踏み込み操作による蓋の開閉動作を繰り返しても、蓋が不測に取り外れることがなく、しっかりと蓋を取り付けておくことができ、且つ、意図的に蓋を着脱する際には容易に着脱することのできる廃棄物回収用装置を提供することを目的とする。
【課題を解決するための手段】
【００１３】
本考案の廃棄物回収用装置は、容器本体と該容器本体の上方に形成した開口部を閉塞する蓋とで構成する容器、上記容器本体を載置する基台、及び、上記蓋を開閉操作する蓋開閉手段を備え、上記蓋開閉手段を、前方側にペダルが取り付けられ、該ペダルの踏み込みにより揺動するよう上記基台の下部に枢着された揺動杆と、上記容器本体の後方側に起立姿勢で配置され、上記揺動杆の揺動に連動して昇降動作する昇降杆と、上記蓋の後方側で上記基台の上部に枢着した蓋開閉枢着部を有するとともに、上記蓋を保持する蓋保持部を有し、上記蓋開閉枢着部を支点として上記昇降杆の昇降動作に連動して揺動する蓋開閉部材とで構成した廃棄物回収用装置であって、上記蓋保持部は、該蓋保持部と上記蓋とが互いに離間する方向へ上記蓋に対する力の付与により取り外し可能に上記蓋を保持し、上記蓋保持部に、指の引掛けを許容する突出量で、上記蓋の外周縁より平面視外側へ突出する突片を設けたことを特徴とする。
【００１４】
上記蓋保持部により、蓋をしっかりと保持することができるため、ペダル操作により蓋を開閉操作する際に、蓋が上記蓋保持部から不測に取り外れることがない。よって、蓋が破損するという事態を防ぐことができる。
【００１５】
蓋を上記蓋保持部で保持し、蓋が開いた状態とし、その状態で例えば、人差し指などの指を突片に引っ掛けた状態で、親指で蓋を蓋保持部に対して離間する方向に押さえ付けることで、蓋が蓋保持部から離間する方向に力を効果的に付与することができ、蓋を上記蓋保持部から容易に取り外すことができる。
【００１６】
よって、蓋を意図的に取り外す際には、容易に蓋を取り外すことができ、蓋を新たな蓋に交換したり、取り外した蓋を洗浄することが可能となり、蓋を衛生的に保つことができる。
【００１７】
なお、本出願の明細書において蓋を開けるとは、容器本体の開口部を蓋で閉塞した状態から、蓋を容器本体から取り外して開口部を蓋で閉塞していない状態とすることを示す。
【００１８】
蓋を閉じるとは、蓋を容器本体から取り外して開口部を蓋で閉塞していない状態から、容器本体の開口部を蓋で閉塞した状態とすることを示す。
【００１９】
また、この考案の態様として、上記蓋開閉枢着部、又はその近傍に、上記蓋の枢動速度を緩和するダンパーを設けることができる。
【００２０】
上記構成により、蓋が自重により閉じようと枢動（回転）する速度を緩和することができるため、蓋が開いた状態を保ち易くなり、その間に突片を利用して容易に蓋を上記蓋保持部から取り外すことができる。
【００２１】
また、この考案の態様として、上記揺動杆の前方側部分を、側方へスライド可能に構成し、上記蓋が開いた状態に上記揺動杆をロックするロック手段を、上記揺動杆の側方に備え、上記ロック手段の下端に、上記ペダルの踏み込み操作により下降させ、上記ロック手段の側へスライドさせた上記揺動杆の係止を許容する係止端を形成し、上記係止端を、上下方向に揺動する上記揺動杆の軌道上に側方から張り出して形成することができる。
【００２２】
上記構成により、上下方向に揺動する上記揺動杆の軌道上に側方から張り出した上記係止端に上記揺動杆を係止することができるため、上記係止端に対して上記揺動杆が係止し易くなるとともに、係止部分を確保し易くなるため、上記揺動杆を上記係止端に対してしっかりとロックすることができる。
【００２３】
しかも、上記揺動杆を上記係止端に対してしっかりとロックしておくことで、蓋を開いた状態に保つことができるため、蓋が開いている間に、上述したように上記蓋保持部に対する蓋の取り外しの操作を容易に行うことができる。
【００２４】
この考案の態様として、上記蓋保持部を、第１蓋保持体と、第２蓋保持体と、上記第１蓋保持体、及び上記第２蓋保持体を一体に結ぶフレームとで構成し、上記突片を上記フレームに形成することができる。
【００２５】
上記構成により、蓋保持部は、第１蓋保持体と第２蓋保持体との２種類の蓋保持体で蓋を保持する構成であるため、１種類の蓋保持部で蓋を保持する構成と比較して、よりしっかりと蓋を保持することができる。
【００２６】
しかも、蓋保持部により、しっかりと蓋を保持しつつ、上述したように突片を支点として利用することで、指等により片手でも簡単に蓋保持部に対して蓋を分離して取り外すことができる。
【００２７】
また、この考案の態様として、上記蓋を平面視矩形に形成し、上記第１蓋保持体を、上記蓋の後端辺部分に配置するとともに、上記第２蓋保持体を、上記蓋の左右方向の端辺部分である左右端辺部分に配置し、上記フレームを、上記後端辺部分沿いに配置した第１フレーム部と、上記左右端辺部分沿いに配置した第２フレーム部と、上記第１フレーム部及び上記第２フレーム部との間に有する隅角部とで構成し、上記突片を、上記第１フレーム部に形成することができる。
【００２８】
上記突片を、上記第１フレーム部に形成することで、該突片と上記第２蓋保持体とが上記第２フレーム部を介して離間した位置に、該突片を形成することになり、上述したように、人差し指などの指を突片に引っ掛けた状態で、親指で蓋を押さえ付けることで、第２蓋保持体を支点とする梃子の原理を有効に活かして第１蓋保持体に対して蓋を容易に取り外することができる。
【００２９】
また、この考案の態様として、上記蓋を平面視矩形に形成し、上記第１蓋保持体を、上記蓋の後端辺部分に配置するとともに、第２蓋保持体を、上記蓋の左右方向の端部である左右端辺部分に配置し、上記フレームを、上記後端辺部分沿いに配置した第１フレーム部と、上記左右端辺部分沿いに配置した第２フレーム部と、上記第１フレーム部及び上記第２フレーム部との間に有する隅角部とで構成し、上記突片を、上記隅角部、又はその近傍に形成することができる。
【００３０】
上記構成により、梃子の原理を有効に活かして第１蓋保持体に対して蓋を容易に取り外することができるという上述した上記第１フレーム部に上記突片を形成した場合に奏する効果と同様の効果を奏することができる。
【００３１】
加えて、蓋を蓋保持部から取り外す際には、上述したように突片に人差し指などの指を引っ掛けて行うが、その際に、開いた状態の蓋が邪魔になることや、容器の後方側にまで手を回り込ませる必要がなく、人差し指などの指を突片に引っ掛けて蓋を親指などで押し付けて蓋を蓋保持部から容易に取り外すことができる。
【００３２】
また、この考案の態様として、上記第１蓋保持体を、上記蓋の上面に形成した被挟持部を挟持する第１蓋挟持体で形成するとともに、上記第２蓋保持体を、上記蓋の上面に形成した被挟持部を挟持する第２蓋挟持体で形成し、上記被挟持部を、上記蓋の上面から上方へ突き出した突起部で形成することができる。
【００３３】
上記第１蓋保持体と第２蓋保持体とで上記蓋の上面における突起部を挟持することで蓋を保持することができるため、挟持力を利用した簡素な構成でしっかりと保持することができる。加えて、上述したように、親指等で蓋を蓋保持部に対して離間する方向に押さえ付けることで、第１蓋挟持体と第２蓋挟持体のそれぞれによる突起部の挟持を容易に解除して、蓋を上記蓋保持部から容易に取り外すことができる。
【考案の効果】
【００３４】
本考案によれば、ペダルの踏み込み操作による蓋の開閉動作を繰り返しても、蓋が不測に取り外れることがなく、しっかりと蓋を取り付けておくことができ、且つ、意図的に蓋を着脱する際には容易に着脱することのできる廃棄物回収用装置を提供することができる。
【図面の簡単な説明】
【００３５】
【図１】本実施形態における廃棄物回収用装置の外観図。
【図２】本実施形態における基台の外観図。
【図３】本実施形態における廃棄物回収用装置の要部拡大図。
【図４】本実施形態における廃棄物回収用装置を断面により示した構成説明図。
【図５】本実施形態における廃棄物回収用装置の要部拡大図。
【図６】本実施形態における廃棄物回収用装置の要部拡大図。
【図７】本実施形態における廃棄物回収用装置の構成説明図。
【図８】本実施形態における廃棄物回収用装置の構成説明図。
【図９】本実施形態における廃棄物回収用装置の構成説明図。
【図１０】本実施形態における廃棄物回収用装置の作用説明図。
【図１１】本実施形態における廃棄物回収用装置の作用説明図。
【図１２】本実施形態における廃棄物回収用装置の作用説明図。
【考案を実施するための形態】
【００３６】
この考案の一実施形態を以下図面と共に説明する。  
本実施形態における廃棄物回収用装置１１は、図１から図５に示すように構成している。  
図１は本実施形態における廃棄物回収用装置１１を斜め上方から視た外観図、図２は廃棄物回収用装置１１における容器１２を省略し、後述する蓋開閉部材３５の一部を仮想線で示した外観図、図３は要部拡大した構成説明図、図４は幅方向における中間部分を上下方向に切断してあらわした縦断面図、図５は図４に示した廃棄物回収用装置１１における要部を拡大した構成説明図である。
【００３７】
本実施形態における廃棄物回収用装置１１は、大別すると、容器１２と、該容器１２をセット可能なフレーム構造をした基台１５と、ペダル３７の踏み込み操作により蓋１４を開閉する蓋開閉機構１６とで構成している。
【００３８】
容器１２は、いずれも合成樹脂製の容器本体１３と蓋１４とで構成している。容器本体１３は、上面に開口部１７を備えた平面視矩形の有底筒状であるとともに、奥行き方向の長さよりも正面視幅方向（左右方向）の長さが長い直方体で構成している。蓋１４は、容器本体１３の開口部１７を閉塞可能な大きさを有した平面視矩形をした板状に構成している。
【００３９】
容器本体１３における上記開口縁部１７ａ（上端部）は、蓋１４に係合可能に全周を、図５に示すように、上方へ突き出した後、外方向へ屈曲した凸状に形成している。  
蓋１４は、容器本体１３に取り付けたとき、その下面外周端部に沿って、上記開口縁部１７ａに係合可能な凹状の開口縁係合部２３を構成している。また、蓋１４の上記開口縁係合部２３に対応する上面部分は、蓋１４の上面外周端部に沿って上方に突き出した突起部２４を形成している。
【００４０】
上記構成により、容器１２は、蓋１４を取り付けた状態において開口部１７を閉塞状態に保つことができる。すなわち、蓋１４を、容器本体１３に取り付けた状態において、開口縁部１７ａと開口縁係合部２３とは互いに係合される（図５参照）。
【００４１】
また、上記基台１５は、基台本体部２５と、該基台本体部２５の後端部から立設した基台スタンド２６とを備えたフレーム構造により構成している。
【００４２】
基台本体部２５は、容器本体１３を載置可能であるとともに４本の脚２７により全体を支持している。
【００４３】
基台本体２５の前端の幅方向の中間部分には、上記蓋１４が開いた状態に後述する揺動杆３３をロックするロック機構６２を備えている。  
基台スタンド２６は、図２に示すように、正面視幅方向の中間部分に所定間隔を隔てた各側に、基台本体部２５の後方から上下に延びる２本の起立フレーム２８と、該起立フレーム２８の上端部間に横架した円柱状の横架フレーム２９と、補強フレーム２１とで構成している。
【００４４】
横架フレーム２９は、長さ方向の両端部が該起立フレーム２８に対して両外側へ突出して横架している（図３参照）。
【００４５】
補強フレーム２１は、第１補強フレーム２１Ａと、第２補強フレーム２１Ｂとで構成している。  
第１補強フレーム２１Ａは、コの字型に形成し、２本の起立フレーム２８の上部において、これら２本の起立フレーム２８のそれぞれに対してコの字型をした両端部のそれぞれを後方側から略水平に固着している。
【００４６】
第１補強フレーム２１Ａは、蓋１４（開口部１７）が開くように、蓋開閉部材３５を後方へ反転した状態において、２本の起立フレーム２８に対して容器本体１３の板状基部４３よりも後方へ突出する突出長さで形成している（図１０参照）。
【００４７】
第２補強フレーム２１Ｂは、直線状に形成し、２本の起立フレーム２８の上部と基台本体部２５の後方側とを結び、下側よりも上方を後傾させた姿勢で配置している。
【００４８】
また、上記蓋開閉機構１６は、図４に示すように、大別すると、揺動杆３３、昇降杆３４、並びに、蓋開閉部材３５を備えている。  
基台本体２５の下部には、前後方向に倒伏した状態で、上記揺動杆３３の長さ方向の後側中途部分を枢着した揺動杆枢着部３６を構成している。上記揺動杆３３の長さ方向における前端部には、踏みつけ可能なペダル３７を備えている。
【００４９】
また、上記昇降杆３４は、上記容器本体１３と基台スタンド２６との前後方向間に、起立状態で配している。そして、上記昇降杆３４の下端部と上記揺動杆３３の後端部とは、互いに連結し、当該連結部分に可動連結部３８を構成している（図４参照）。
【００５０】
さらに、蓋開閉部材３５は、板状基部４３を備え、容器本体１３を閉塞した状態においては、蓋開閉部材３５の板状基部４３が倒伏した倒伏姿勢（略水平姿勢）となる（図４、図５参照）。
【００５１】
さらにまた、上記蓋開閉部材３５は、倒伏姿勢において板状基部４３の前端部に、上記蓋保持部４２を備え（図４参照）、板状基部４３の中央部、後端部にそれぞれ力点用突片部４６、支点用突片部４７を備えている（図３、図５参照）。  
上記力点用突片部４６と昇降杆３４の上端部とを枢着し、当該枢着部分を、蓋開閉部材３５が回動する力点となる力点枢着部４８に設定している。
【００５２】
上記支点用突片部４７は、板状基部４３の幅方向の両側において対向状態で突き出して蓋開閉部材３５が回動する支点となる一対の突片部分であり、当該突片部分に、上記基台スタンド２６の横架フレーム２９の両端部を枢着し、当該枢着部分を、蓋開閉部材３５が回動する支点となる支点枢着部４９に設定している。
【００５３】
支点枢着部４９は、上記蓋１４の回動速度を緩和するロータリーダンパー５０を介在させて、横架フレーム２９の両端部と支点用突片部４７とを枢着した構成である。
【００５４】
蓋開閉部材３５は、ロータリーダンパー５０により枢動速度が減衰され、緩やかに蓋１４を開閉する。
【００５５】
続いて、上記蓋保持部４２の構成について図６、及び、図７を用いて説明する。  
蓋保持部４２は、蓋保持用クリップ５５とクリップ取付用フレーム５６とにより構成している。  
なお、図６は、蓋保持用クリップ５５により蓋１４を挟持している様子を拡大して示した断面図であるとともに、図７は、蓋１４、及び、蓋開閉部材３５の外観図である。
【００５６】
蓋保持用クリップ５５は、後端蓋保持用クリップ５５Ｂと、右端蓋保持用クリップ５５Ｒと、左端蓋保持用クリップ５５Ｌとで構成している。  
後端蓋保持用クリップ５５Ｂは、上記蓋１４を保持した状態で、蓋１４の上面の平面視後端辺部分１４Ｂの左右方向の中間部分に配置されている（図７参照）。
【００５７】
右端蓋保持用クリップ５５Ｒは、上記蓋１４を保持した状態で、蓋１４の上面の平面視右端辺部分１４Ｒの奥行き方向の中間部分に配置されている（図７参照）。
【００５８】
左端蓋保持用クリップ５５Ｌは、上記蓋１４を保持した状態で、蓋１４の上面の平面視左端辺部分１４Ｌの奥行き方向の中間部分に配置されている（図７参照）。
【００５９】
図６に示すように、蓋保持用クリップ５５は、撓み変形可能な一対の対向片５７，５７、及び、これらを一体とする基端部分からなる金属製部材であり、該一対の対向片５７，５７により蓋１４の上面から突き出した上記突起部２４を挟持可能に構成している。  
なお、図６は、蓋保持用クリップ５５のうち、右端蓋保持用クリップ５５Ｒが上記突起部２４を挟持する部分の幅方向断面を示している。
【００６０】
クリップ取付用フレーム５６は、図７に示すように、後端蓋保持用クリップ５５Ｂと、右端蓋保持用クリップ５５Ｒと、左端蓋保持用クリップ５５Ｌとを連結する平面視コの字型で構成している。
【００６１】
また、蓋開閉部材３５は、該蓋開閉部材３５が倒伏姿勢においてコの字型の開口部分が前方を向くように、該クリップ取付用フレーム５６の幅方向の中間部分に有する後端蓋保持用クリップ５５Ｂを蓋開閉部材３５に対して一体に溶着している。
【００６２】
クリップ取付用フレーム５６は、上記後端辺部分１４Ｂ沿いに配置した第１クリップ取付用フレーム部５６Ａと、上記右端辺部分１４Ｒ沿い、及び、上記左端辺部分１４Ｌ沿いのそれぞれに配置した第２クリップ取付用フレーム部５６Ｂ，５６Ｂと、第１クリップ取付用フレーム部５６Ａ及び第２クリップ取付用フレーム部５６Ｂとの間に有する隅角部５６Ｃとで構成している。  
上記隅角部５６Ｃには、上記蓋の外周縁より平面視外側へ突出する突片５８を設けている。
【００６３】
突片５８は、Ｕの字形状で形成し、そのＵの字形の両端部分を上記隅角部５６Ｃに固着しているとともに、後方斜め４５度に向けて、少なくとも指の引掛けを許容する、例えば、約５ｍｍから７０ｍｍ程度の範囲内の突出量で突出している。
【００６４】
また、揺動杆３３は、図８に示すように、揺動杆枢着部３６に対して前方部分を３ｍｍから１０ｍｍ程度、幅方向へ僅かにスライド可能に基台１５に対して枢着している。  
なお、図８は、廃棄物回収用装置１１の底面側から視た揺動杆枢着部３６の構成説明図であり、基台１５及び、一部を省略した蓋開閉機構１６のみを示した廃棄物回収用装置１１の底面図である。
【００６５】
続いて、上記ロック機構６２について図９（ａ），（ｂ），（ｃ）を用いて説明する。  
なお、図９（ａ），（ｂ），（ｃ）は、いずれも、上記係合ロック部材６２を前後方向中間部において切断した断面を示す構成説明図であり、図９（ａ）から順に、それぞれ揺動杆３３を下動させて後述する係止端６４ｂにロックする様子を示している。
【００６６】
ロック機構６２は、基台本体２５の前端部分の幅方向の中間部分に構成し、図９に示すように、ロック板６４とロック板取付け部材６１とで構成している。
【００６７】
ロック板取付け部材６１は、基台本体２５の前端部分の幅方向の中間部分に、下方へ向けて突設し、正面視すると縦長の略Ｕ字型形状で形成している。
【００６８】
ロック板取付け部材６１は、その幅方向の中間部分に揺動杆３３を挿通可能に上下方向に長いスリット状に構成した挿通孔６３を備え、正面視縦長の略Ｕ字型形状で形成している。
【００６９】
ロック板６４は、長さ方向の一方を他方と比較して厚み方向に変位させた変位部６４ａを略中間部分に形成し、挿入孔６３において上下方向に配置し、上側部分をロック板取付け部材６１の内壁面に面接触状態に固着している。
【００７０】
これにより、ロック板６４は、揺動杆３３が上下に揺動する軌道上の側方に沿って配置することができる。このとき、ロック板６４の下側部分は、変位部６４ａにより、挿入孔６３における揺動杆３３が上下に揺動する軌道上に挿入孔６３の幅方向の半分程度に至るまで張り出した状態で上下に配置される。
【００７１】
なお、ロック板６４の変位部６４ａより下側部分とロック板取付け部材６１との間には隙間６５を有し（図９（ａ）参照）、該隙間６５は、揺動杆３３が入り込まないように揺動杆３３の幅より幅小に形成している。また、隙間６５には、該隙間６５の少なくも一部を埋めるように溶接した溶接部６７を形成している。
【００７２】
挿入孔６３におけるロック板６４よりも下方には、ロック空間６６を構成している。ロック空間６６は、上記揺動杆３３を、上記ペダル３７の踏み込み操作により下降させ、ロック板６４の有する側の側方（図９（ｃ）中の矢印参照）へ後述したようにスライドさせたとき、該揺動杆３３の入り込みを許容する大きさで構成している。
【００７３】
さらに、ロック板６４の下端部は、上記ロック空間６６に移動させた上記揺動杆３３の係止を許容する係止端６４ｂを形成している。
【００７４】
係止端６４ｂの下端面は、図９に示すように、ロック板６４の厚み方向において挿入孔６３の側から挿入孔６３と反対側へ進むに連れ上方に傾斜する傾斜面で形成している。  
なお、揺動杆３３は、図９に示すように、断面視突状になるよう断面視上端に突部３３ａを形成している。
【００７５】
以上により、図８、及び、図９（ｃ）に示すように、揺動杆３３は、下降させた状態で正面視左側へスライドすることにより上記ロック板６４に係合可能に構成している。  
特に、ロック機構６２は、上述したように、係止端６４ｂの下面を上述した傾斜面で形成するとともに、揺動杆３３の断面視上端に突部３３ａを形成することにより、揺動杆３３を係止端６４ｂに係止したとき、係止端６４ｂの下面と揺動杆３３の突部３３ａとを噛み合わせることができ、係止端６４ｂと揺動杆３３とをしっかりと係止することができる。
【００７６】
さらに、ロック機構６２は、係止端６４ｂの幅に加え、ロック板６４とロック板取付け部材６１との隙間６５の幅を含めた幅分を係止部分として揺動杆３３を係止することができ、係止部分の幅を十分に確保することができる。
【００７７】
さらにまた、ロック機構６２は、係止端６４ｂに対しての揺動杆３３のロック、或いは、ロック解除を繰り返すことで、係止端６４ｂや揺動杆３３が磨り減っても、しっかりと揺動杆３３をロックすることができる。
【００７８】
上述した構成の廃棄物回収用装置１１において、図４、及び、図５に示すように、蓋１４を閉じた状態から蓋１４を開けるまでの流れについて図１０を用いて説明する。  
なお、図１０は、蓋１４を開ける過程を一部拡大して示した廃棄物回収用装置１１の作用説明図である。
【００７９】
ペダル３７を踏み下げると、揺動杆３３の後端の可動連結部３８が揺動杆枢着部３６を支点として上昇する。そして、昇降杆３４は、可動連結部３８の上昇に連動して上昇する（図４参照）。
【００８０】
これにより、蓋開閉部材３５は、力点枢着部４８を力点として押し上げられるため（図１０中、矢印Ｆ参照）、支点枢着部４９を枢動支点として枢動する（図１０中、矢印Ｄ参照）。蓋１４は、上記蓋保持部４２により保持されているため、蓋開閉部材３５の枢動とともに一体に枢動し、開口部１７を開けることができる。
【００８１】
続いて廃棄物回収用装置１１において、蓋保持部４２から蓋１４を取り外す一実施例について図１１、及び、図１２を用いて説明する。  
図１１（ａ），（ｂ）、及び、図１２は、いずれも蓋保持部４２から蓋１４を取り外す過程を説明するための説明図であり、図１１（ａ）は、図１中のＡ−Ａ線矢視図であり、図１１（ｂ）は、図５、及び、図１０に相当する廃棄物回収用装置１１の要部拡大図である。
【００８２】
図１０に示すように、蓋１４を開け、蓋１４が開いた状態で図１１（ａ）に示すように、人指し指を突片５８に引っ掛け、親指で蓋１４の上面を押さえ付ける。この押し付け力Ｆは、図１１（ｂ）に示すように、後端蓋保持用クリップ５５Ｂと蓋１４とが離間する方向に付与される。
【００８３】
このため、図１２中の一点鎖線に示した蓋１４のように、右端蓋保持用クリップ５５Ｒ、及び、左端蓋保持用クリップ５５Ｌを支点とする梃子の原理を活かして、後端蓋保持用クリップ５５Ｂによる蓋１４の突起部２４の挟持を解除することができる。
【００８４】
このとき、蓋１４の突起部２４は、右端蓋保持用クリップ５５Ｒ、及び、左端蓋保持用クリップ５５Ｌのみに挟持された状態に保たれるため、蓋保持部４２は、蓋１４が不測に落下して破損することを防ぐことができる（図１２中の一点鎖線に示した蓋１４参照）。
【００８５】
また、蓋１４は、後端蓋保持用クリップ５５Ｂによる突起部２４の挟持が解除されているため、蓋１４を前方（手前側）へ軽く引き寄せるだけで容易に右端蓋保持用クリップ５５Ｒ、及び、左端蓋保持用クリップ５５Ｌによる突起部２４の挟持を解除すことができ、蓋保持部４２から取り外すことができる（図１２中の二点鎖線に示した蓋１４参照）。
【００８６】
なお、上述の一実施例では、人指し指を突片５８に引っ掛け、親指で蓋１４の上面を押さえ付けた例を示したが、この実施例に限らず、他の指を突片５８に引っ掛け、蓋１４の上面を押さえ付けてもよい。さらに、突片５８は、指で引っ掛けるに限らず、握持したり、他の道具を兼用するなどして蓋保持部４２から蓋１４を取り外す際に利用することができる。
【００８７】
上述した廃棄物回収用装置１１は、以下のような作用、効果を奏することができる。  
上記蓋保持部４２により、蓋１４をしっかりと保持することができるため、ペダル３７の踏み込み操作により蓋１４を開閉操作する際に、蓋１４が上記蓋保持部４２から不測に取り外れることがない。よって、蓋１４の開閉動作を繰り返ししても蓋１４が蓋保持部４２から取り外れて破損するという事態を防ぐことができる。
【００８８】
上記蓋保持部４２に、指の引掛けを許容する突出量で、上記蓋１４の外周縁より平面視外側へ突出する突片５８を設けた構成であるため、蓋１４を上記蓋保持部４２で保持し、蓋１４が開いた状態とし、その状態で人差し指などの指を突片５８に引っ掛けた状態で、親指で蓋１４を蓋保持部４２に対して離間する方向に押さえ付けることで、蓋１４が蓋保持部４２から離間する方向に力を効果的に付与することができ、蓋１４を上記蓋保持部４２から容易に取り外すことができる。
【００８９】
よって、蓋１４を意図的に取り外す際には、突片５８を利用して容易に蓋１４を取り外すことができ、蓋１４を新たな蓋１４に交換したり、取り外した蓋１４を洗浄したりすることを容易に行うことができ、蓋１４を衛生的に保つことができる。
【００９０】
しかも、蓋保持部４２から蓋１４を取り外す際に、直接、蓋１４の周縁部を把持して、蓋保持部４２と蓋１４とを分離させることがないため、蓋１４の周縁部を把持したときに、蓋１４の裏面に手が触れることがない。
【００９１】
よって、廃棄物回収用装置１１は、蓋１４の取り外しを衛生的に行うことができ、特に、廃棄物回収用装置１１を医療用の廃棄物回収用装置として用いた場合において、蓋１４の中でも医療用廃棄物により最も汚れ易く、菌が付着し易い蓋１４の裏面に、蓋１４を取り外す際に手が触れることがないため、間接接触感染を防ぐことができる。
【００９２】
上記構成により、蓋保持部４２は、後端蓋保持用クリップ５５Ｂ、右端蓋保持用クリップ５５Ｒ、及び、左端蓋保持用クリップ５５Ｌにより蓋１４を保持する構成であるため、例えば、１つの蓋保持用クリップで蓋１４を保持する構成と比較して、蓋１４をしっかりと保持することができる。
【００９３】
しかも、このような蓋保持部４２により、しっかりと蓋１４を保持しても、上述したように、後端蓋保持用クリップ５５Ｂによる突起部２４の挟持を解除するために、蓋１４に力を付与する際の支点として突片５８を利用することで、蓋保持部４２から蓋１４を容易に取り外すことができる。
【００９４】
さらに、上述したように、上記突片５８は、上記隅角部５６Ｃに形成することで、該突片５８と、右端蓋保持用クリップ５５Ｒ、及び、左端蓋保持用クリップ５５Ｌのそれぞれとを、第２クリップ取付用フレーム部５６Ｂを隔てた十分な間隔を確保した位置に形成することができる。
【００９５】
これにより上述したように、人差し指などの指を突片５８に引っ掛けた状態で、親指で蓋１４を押さえ付けたとき、右端蓋保持用クリップ５５Ｒ、及び、左端蓋保持用クリップ５５Ｌを支点とする梃子の原理を十分に活かして、後端蓋保持用クリップ５５Ｂによる突起部２４の挟持を解除して、蓋１４を容易に取り外すことができる。
【００９６】
加えて、蓋１４を蓋保持部４２から取り外す際に、開いた状態の蓋１４が邪魔になることや、開いた状態の蓋１４の後方側に手を回り込ませる必要がなく、人差し指などの指を突片５８に引っ掛けて蓋１４を親指などで押し付けて蓋１４を蓋保持部４２から容易に取り外すことができる。
【００９７】
廃棄物回収用装置１１は、支点枢着部４９に、上記蓋１４の枢動速度を緩和するロータリーダンパー５０を設けたため、蓋１４が自重により閉じようと回動する速度を緩和することができる。
【００９８】
よって、蓋１４が閉じたときに容器本体１３に接触する際の衝撃を緩和することができる。
【００９９】
加えて、ロータリーダンパー５０により、蓋１４を開いた状態に保ち易くなるため、蓋１４が自重により閉じる間に、余裕をもって突片５８を利用して蓋１４を上記蓋保持部４２から取り外すことができる。
【０１００】
廃棄物回収用装置は、揺動杆３３の中央前方側部分にロック機構６２を備え、ロック機構６２におけるロック板６４の下端に有する係止端６４ｂを、上下方向に揺動する揺動杆３３の軌道上に側方から張り出して形成しているため、降下した揺動杆３３を少しロック空間６６の側へスライドするだけで容易に係止端６４ｂに対してロックすることができる。
【０１０１】
さらに、揺動杆３３との係止部分の大きさを十分に確保でき、上記揺動杆３３を上記係止端６４ｂに対してしっかりとロックすることができる。
【０１０２】
しかも、上記揺動杆３３を上記係止端６４ｂに対してしっかりとロックしておくことで、蓋１４を開いた状態に保つことができるため、その間に、上述したように上記蓋保持部４２に対する蓋１４の取り外しの操作を容易に行うことができる。
【０１０３】
また、上記蓋保持部４２は、後端蓋保持用クリップ５５Ｂ、右端蓋保持用クリップ５５Ｒ、及び、左端蓋保持用クリップ５５Ｌで突起部２４を挟持することにより蓋１４を保持する構成であるため、挟持力を利用した簡素な構成でしっかりと蓋１４を保持することができる。加えて、上述したように、親指等で蓋１４の上面を押さえ付けるだけで、後端蓋保持用クリップ５５Ｂによる突起部２４の挟持を容易に解除することができ、蓋１４を上記蓋保持部４２から容易に取り外すことができる。
【０１０４】
また、コの字型に形成した第１補強フレーム２１Ａは、上述したように、蓋１４を開いた際に、蓋開閉部材３５を後方へ反転した状態において、２本の起立フレーム２８に対して容器本体１３の板状基部４３よりも後方へ突出する突出長さで形成しているため、廃棄物回収用装置１１を、背面側と対向するよう壁際に設置した状態で、蓋１４を開こうとして蓋開閉部材３５を後方へ反転させても、反転させた蓋開閉部材３５の板状基部４３が、第１補強フレーム２１Ａよりも壁面側に突き出して背面側の壁面と干渉することがない。
【０１０５】
よって、廃棄物回収用装置１１を壁際に設置した状態において、蓋１４を開いたときに、壁面に対して蓋開閉部材３５が衝突して壁面が傷ついたり、蓋開閉部材３５が破損してしまうことを防ぐことができる。  
なお、蓋開閉部材３５が衝突して壁面を傷つけないようにする手段として、上述したように、第１補強フレーム２１Ａを、後方へ反転した状態の蓋開閉部材３５よりも後方へ突出して形成するに限らず、例えば、４本の脚２７のうち後方側の２本の脚２７の地面への設置位置が、開口部１７を開いたときに蓋開閉部材３５が後方へ反転する位置よりも後方の位置になるよう基台本体部２５を構成してもよい。
【０１０６】
また、上述した実施形態と、この考案の構成との対応において、この実施形態の蓋開閉機構１６は、この考案の蓋開閉手段に対応し、以下同様に、
支点用突片部４７は、蓋開閉枢着部に対応し、
後端蓋保持用クリップ５５Ｂは、第１蓋挟持体に対応し、
右端蓋保持用クリップ５５Ｒは、第２蓋挟持体に対応し、
左端蓋保持用クリップ５５Ｌは、第２蓋挟持体に対応し、
第１クリップ取付用フレーム部５６Ａは、第１フレーム部に対応し、
第２クリップ取付用フレーム部５６Ｂは、第２フレーム部に対応し、
右端辺部分１４Ｒ、及び、右端辺部分１４Ｌは、左右端辺部分に対応するも、この考案は、上述の実施形態の構成のみに限定されるものではなく、多くの実施の形態を得ることができる。
【０１０７】
例えば、廃棄物回収用装置１１は、４本の脚２７の地面との設置部分にキャスタを設けてもよい（図示せず）。
【０１０８】
キャスタを設けることにより、廃棄物回収用装置１１をスムーズに移動させることができる。
【０１０９】
さらに、廃棄物回収用装置１１は、基台スタンド２６の上部に、移動用のハンドルを設けてもよい（図示せず）。ハンドルは、例えば、廃棄物回収用装置１１の上部背面側、すなわち、基台スタンド２６の上部に蓋開閉部材３５よりも上方に突出し、後方側から人が把持可能に形成することができる。
【０１１０】
この構成によれば、廃棄物回収用装置１１を移動させるときは、ハンドルを把持し、廃棄物回収用装置１１の全体を後傾させた状態で、後側の２本の脚２７に設けたキャスタを転動させて移動することができる。この場合、キャスタは、４本の脚２７の全ての設けなくとも、後側の２本の脚２７のみに設けてもよい。
【符号の説明】
【０１１１】
１１…廃棄物回収用装置
１２…容器
１３…容器本体
１４…蓋
１５…基台
１６…蓋開閉機構
１７…開口部
２４…突起部
３３…揺動杆
３４…昇降杆
３５…蓋開閉部材
３７…ペダル
４２…蓋保持部
４９…支点枢着部
５０…ロータリーダンパー
５５…蓋保持用クリップ
５５Ｂ…後端蓋保持用クリップ
５５Ｒ…右端蓋保持用クリップ
５５Ｌ…左端蓋保持用クリップ
５６…クリップ取付用フレーム
５６Ａ…第１クリップ取付用フレーム部
５６Ｂ…第２クリップ取付用フレーム部
５６Ｃ…隅角部
５８…突片
６４…ロック板
６４ｂ…係止端
【図１】
0003163411.tif 000003
【図２】
0003163411.tif 000004
【図３】
0003163411.tif 000005
【図４】
0003163411.tif 000006
【図５】
0003163411.tif 000007
【図６】
0003163411.tif 000008
【図７】
0003163411.tif 000009
【図８】
0003163411.tif 000010
【図９】
0003163411.tif 000011
【図１０】
0003163411.tif 000012
【図１１】
0003163411.tif 000013
【図１２】
0003163411.tif 000014